(57)【要約】【課題】小型ガスボンベと大型の汎用ガスボンベを共用可能とし、汎用ガスボンベの使用時にも外観が保持される構造簡易で使い勝手の向上を図る。【解決手段】可動カバー部材８が、外側下端縁部８Ａに沿って設けたヒンジ軸受け筒部２２の軸孔２３にシャーシ３に設けた軸支部２０に支架した支軸１９を嵌挿して回動自在かつスライド自在に組み合わせ、ヒンジ軸受け筒部２２と背面カバー部材９との間に、小型ガスボンベ２Ａと汎用ガスボンベ２Ｂの長さの差とほぼ等しい間隔でかつ軸支部２０と非干渉状態とする逃げ切欠き部２５を形成する。【選択図】  図１
0003126328.tif 000002
【実用新案登録請求の範囲】
【請求項１】
バーナが設けられた燃焼部と、天井部と外側面部が開放されて上記燃焼部に隣接して配置されるとともにガバナやガスボンベチャッキング機構が設けられかつガスボンベが装填されるガスボンベ装填部と、このガスボンベ装填部の開放された天井部と外側面部とを被覆する断面略Ｌ字状に形成されかつ外側下端縁部に沿って設けたヒンジ軸受け筒部に上記ガスボンベ装填部の底面部を構成するシャーシに設けた軸支部に支架した支軸を嵌挿して上記外側下端縁部を回動自在に片持ち支持した可動カバー部材とを備える卓上ガスコンロ装置において、
上記ガバナを覆って上記ガスボンベ装填部の底面部を構成するシャーシに固定して設けられた略半円筒形状の固定カバー部材と、
上記可動カバー部材の背面側に直交して設けられて上記ガスボンベ装填部の開放された背面部を被覆する背面カバー部材と、
上記ヒンジ軸受け筒部が背面側から所定の長さ範囲で形成されるとともに、このヒンジ軸受け筒部の後端部と上記背面カバー部材との間に上記ガスボンベ装填部側の上記軸支部と非干渉状態とする逃げ切欠き部を構成した上記可動カバー部材とを備え、
上記可動カバー部材が、先端側縁部を上記固定カバー部材の天井部上に突き当てられて支持されるとともに、上記ヒンジ軸受け筒部を上記支軸に支持されて上記逃げ切欠き部の長さ範囲で上記ヒンジ軸受け筒部の後端部が上記軸支部に突き当たるまで上記シャーシに対してスライド操作されることにより上記ガスボンベ装填部の背面側を延長して当該ガスボンベ装填部に大型ガスボンベが装填されるようにすることを特徴とする卓上ガスコンロ装置。
【請求項２】
上記背面カバー部材が、上記可動カバー部材の背面部に直交して設けられて上記ガスボンベ装填部の開放された背面部を被覆する背面カバー部と、この背面カバー部から上記逃げ切欠き部と略対向するように直交して所定の長さで設けられて上記可動カバー部材の背面部位において開放された側面部を被覆する側面カバー部とから構成され、
上記可動カバー部材を上記シャーシに対してスライド操作して上記ガスボンベ装填部に大型ガスボンベを装填した状態で、上記背面カバー部と上記側面カバー部とが上記可動カバー部材と共同して上記ガスボンベ装填部を被覆することを特徴とする請求項１に記載の卓上ガスコンロ装置。
【考案の詳細な説明】
【技術分野】
【０００１】
本考案は、テーブル等に載置されガスボンベを装填して使用される卓上ガスコンロ装置に関する。
【背景技術】
【０００２】
ガスボンベを用いる卓上ガスコンロ装置は、ガス配管設備が不要であり適宜の場所に持ち運び自在であることから、手軽な加熱調理器具として広く使用されている。卓上ガスコンロ装置は、一般にバーナが設けられた燃焼部と、この燃焼部に隣接して配置されるとともにガバナやガスボンベチャッキング機構が設けられかつガスボンベが装填されるガスボンベ装填部とを備える。卓上ガスコンロ装置は、ガスボンベ装填部がシャーシに対して回動自在に組み合わされたカバー部材により開放された天井部と側面部及び背面部とを被覆され、このカバー部材を回動操作して開放状態としたガスボンベ装填部にガスボンベを装填する。
【０００３】
卓上ガスコンロ装置においては、ガスボンベ装填部が、一般に標準汎用品として提供される缶本体の直径が約６６ｍｍ、ステムを含む全長が約１８５ｍｍの外形仕様を有するガスボンベ（以下、汎用ガスボンベと称する。）を用いるように構成される。卓上ガスコンロ装置においては、五徳上に被加熱容器を安定した状態で載置し、ガスボンベ装填部に汎用ガスボンベを装填する大きさとされる。卓上ガスコンロ装置においては、一般に横寸法が３５０ｍｍ、奥行き寸法が２５０ｍｍ以上の外形仕様を以って構成される。
【０００４】
本出願人は、特許文献１により、核家族化、少人数化、食の多様化或いはテーブル等の設置スペースの効率化等に対応するとともに携帯性の向上等を図る上述した小型ガスボンベの使用を標準仕様とし、大型の汎用ガスボンベを共用可能とした卓上ガスコンロ装置を提供した。この卓上ガスコンロ装置は、缶本体の直径寸法が約６６ｍｍ、ステムを含む全長寸法が約１１５ｍｍの小型のガスボンベ（以下、小型ガスボンベと称する。）を装填するガスボンベ装填部の背面部を開放自在とすることにより、上述した汎用ガスボンベも共用可能とする。
【０００５】
かかるボンベ共用型卓上ガスコンロ装置は、出願人の営業努力とともに小型ガスボンベの普及にもより極めて好評を博している状況にあるが、競合メーカから例えば特許文献２に開示されるような類似の卓上ガスコンロ装置も提供されている。類似の卓上ガスコンロ装置は、外ボンベカバーと内ボンベカバーの二重カバー構造となし、コンロ本体に対して外カバーを開閉自在かつ内ボンベカバーを前後方向に摺動可能とすることによりボンベ装着部の背面部を開閉自在に構成する。類似の卓上ガスコンロ装置は、外ボンベカバーの側板部に突設したガイドピンを内ボンベカバーの側板部に穿設したガイド長孔に遊貫して先端にナットを螺着するとともに内ボンベカバーの側板の下端縁に突設した突条部を外ボンベカバーの側板部下端側縁に延設したガイド溝に摺動可能に嵌入する。類似の卓上ガスコンロ装置は、重合した外ボンベカバーと内ボンベカバーとを外ボンベカバーの側板部の端縁に延設したヒンジピン通孔にヒンジピンを挿通し、ヒンジピンの両端を底板のガスボンベ装填部の両角に設けたヒンジ取付部に軸架し、ヒンジピンを支軸として回動自在に支持する。
【０００６】
【特許文献１】特開平１１−３１１４１７号公報
【特許文献２】実用新案登録第３０８０１７７号公報
【考案の開示】
【考案が解決しようとする課題】
【０００７】
上述した先願の実施の形態として示したボンベ共用型卓上ガスコンロ装置においては、汎用ガスボンベを用いる場合に、その後端部位がガスボンベ装填部から約７０ｍｍ程度外部に露出させる。一方、類似の卓上ガスコンロ装置においては、内ボンベカバーを後方へとスライド操作することによりガスボンベ装填部の背面部を開いて汎用ガスボンベの装填を可能とするとともに、この状態でも外カバーにより汎用ガスボンベを被覆した状態として外観が保持されるようにする。
【０００８】
なお、特許文献２には、汎用ガスボンベを用いる場合に外部に露出された後端部位に直接火炎が当たってボンベの異常加熱が生じやすいといった記載がある。ボンベ共用型卓上ガスコンロ装置においては、ガスボンベ装填部の背面側からガスボンベの後端部位が露出されるもバーナとの間隔が充分に保持された状態となっていることから、記載されるような事態が発生する虞はまったく無く誤った記載である。
【０００９】
ところで、類似型卓上ガスコンロ装置は、上述したように外ボンベカバーと内ボンベカバーを組み合わせた二重カバー構造を備えることから、汎用ガスボンベを使用する場合に内ボンベカバーがスライド操作されてガスボンベ装填部から突出された汎用ガスボンベの後端部を覆うことで外観が保持される。したがって、かかる類似型卓上ガスコンロ装置は、飲食店や旅館等で使用する場合に有効である。
【００１０】
しかしながら、かかる類似型卓上ガスコンロ装置においては、外ボンベカバーと内ボンベカバーの２つの可動部材及びスライドガイド構造と回動構造との２つの可動部位を備えることで部品数が多くなるとともに構造も複雑となる。また、類似型卓上ガスコンロ装置においては、内ボンベカバーのスライドガイド構造がガイドピンとガイド長孔とにより構成することで、内ボンベカバーにガタ付きが生じるとともに油等の付着により円滑にスライド動作されないといった問題もある。さらに、類似型卓上ガスコンロ装置においては、外ボンベカバーと内ボンベカバーが回動操作されるとガバナが露出されるために、飲食店や旅館等で使用される場合に例えば酔った者等によりいたずらされる虞もある。
【００１１】
したがって、本考案は、小型ガスボンベに対応した外形仕様を有するとともに汎用ガスボンベの共用も可能とするとともに汎用ガスボンベの使用時にも外観が保持されるようにした卓上ガスコンロ装置において、構造の簡易化を図るとともにいたずら防止或いは使い勝手の向上を図る卓上ガスコンロ装置を提供することを目的に提案されたものである。
【課題を解決するための手段】
【００１２】
上述した目的を達成する本考案にかかる卓上ガスコンロ装置は、バーナが設けられた燃焼部と、天井部と外側面部が開放されて上記燃焼部に隣接して配置されるとともにガバナやガスボンベチャッキング機構が設けられかつガスボンベが装填されるガスボンベ装填部とを備える。卓上ガスコンロ装置は、ガバナを覆ってガスボンベ装填部の底面部を構成するシャーシに固定して設けられた略半円筒形状の固定カバー部材と、シャーシに対してガスボンベ装填部とともに固定カバー部材を開閉自在にして組み合わされる可動カバー部材と、この可動カバー部材の背面側に直交して組み合わされてガスボンベ装填部の開放された背面部を被覆する背面カバー部材とを備える。卓上ガスコンロ装置は、可動カバー部材が、ガスボンベ装填部の開放された天井部と外側面部とを被覆する断面略Ｌ字状に形成されかつ外側下端縁部に沿って設けたヒンジ軸受け筒部にガスボンベ装填部の底面部を構成するシャーシに設けた軸支部に一端を支架した支軸を嵌挿することにより外側の下端縁部を回動自在に片持ち支持される。卓上ガスコンロ装置は、可動カバー部材が、ヒンジ軸受け筒部を背面側から所定の長さ範囲で形成するとともにこのヒンジ軸受け筒部の後端部と背面カバー部材との間にガスボンベ装填部側の軸支部と非干渉状態とする逃げ切欠き部を形成し、この逃げ切欠き部の長さ範囲でシャーシにスライド自在に組み合わされる。
【００１３】
卓上ガスコンロ装置においては、支軸を嵌挿したヒンジ軸受け筒部を支点として可動カバー部材が回動操作されることにより、開放された天井部からガスボンベ装填部内に小型ガスボンベが装填される。卓上ガスコンロ装置においては、ガスボンベチャッキング機構を介して小型ガスボンベをガバナに装着させ、初期状態に復帰回動操作した可動カバー部材によりガスボンベ装填部内に装填した小型ガスボンベを覆うようにする。
【００１４】
卓上ガスコンロ装置においては、可動カバー部材が、先端側を固定カバー部材の天井部上に突き当てられて支持されながらヒンジ軸受け筒部を支軸に沿って逃げ切欠き部の範囲で後端部が軸支部に突き当たるまでシャーシに対してスライド操作されることにより、背面カバー部材により被覆されていたガスボンベ装填部の背面部側を延長する。卓上ガスコンロ装置においては、可動カバー部材が所定位置までスライド操作された状態でヒンジ軸受け筒部を支点として回動操作されることによりガスボンベ装填部の天井部を開放し、この天井部からガスボンベ装填部内に汎用ガスボンベが装填される。卓上ガスコンロ装置においては、ガスボンベチャッキング機構を介して汎用ガスボンベをガバナに結合させ、初期状態に復帰回動操作した可動カバー部材によりガスボンベ装填部内に装填した汎用ガスボンベを覆うようにする。卓上ガスコンロ装置においては、大きな長さを有する汎用ガスボンベがその後端部を背面側から突出させてガスボンベ装填部に装填されるが、スライド操作された可動カバー部材により覆われるようにする。
【００１５】
卓上ガスコンロ装置は、背面カバー部材が、可動カバー部材の背面部に直交して設けられてガスボンベ装填部の開放された背面部を被覆する背面カバー部と、この背面カバー部から逃げ切欠き部と略対向するように直交して所定の長さで設けられて可動カバー部材の背面部位において開放された側面部を被覆する側面カバー部とから構成される。卓上ガスコンロ装置においては、可動カバー部材をシャーシに対してスライド操作してガスボンベ装填部に大型ガスボンベを装填した状態で、背面カバー部と側面カバー部とが可動カバー部材と共同してガスボンベ装填部を被覆する。卓上ガスコンロ装置においては、ガスボンベ装填部内に大型ガスボンベを装填した状態でも、可動カバー部材と背面カバー部材とにより大型ガスボンベの全体を汎用ガスボンベと同様に被覆されるようにする。
【考案の効果】
【００１６】
以上のように構成された本考案にかかる卓上ガスコンロ装置によれば、外側下端縁部に沿って設けたヒンジ軸受け筒部にガスボンベ装填部の底面部を構成するシャーシに設けた軸支部に支架した支軸を嵌挿して外側下端縁部を回動自在に片持ち支持するとともに、ヒンジ軸受け筒部と背面カバー部材との間に軸支部と非干渉状態とする逃げ切欠き部を形成し、この逃げ切欠き部の長さ範囲でシャーシにスライド自在に組み合わされた可動カバー部材を備える簡易な構造であり、小型ガスボンベと汎用ガスボンベの共用を可能とするとともに、使用時において後端部がガスボンベ装填部から突出する汎用ガスボンベを用いた場合でも可動カバー部材により覆う状態が保持されるようにして外観やテーブルの雰囲気等が損なわれないようにする。卓上ガスコンロ装置によれば、可動カバー部材が１箇所の支持部において回動操作とスライド操作が自在に支持されることから、支持構造の簡易化とスムーズな操作による使い勝手の向上が図られるとともに部品点数も少なく低コスト化が図られる。
【考案を実施するための最良の形態】
【００１７】
以下、本考案の実施の形態として図面に示した卓上ガスコンロ装置１について詳細に説明する。卓上ガスコンロ装置１は、上述した小型ガスボンベ２Ａに対応した小型の外形寸法仕様に形成されるが、詳細を後述する構成により上述した大型の汎用ガスボンベ２Ｂも共用することが可能であり、小型ガスボンベ２Ａとともに汎用ガスボンベ２Ｂを使用した場合でもこれを外観部材により覆うようにする。なお、小型ガスボンベ２Ａと汎用ガスボンベ２Ｂについては、以下の説明において個別に説明する場合を除いてガスボンベ２と総称する。
【００１８】
卓上ガスコンロ装置１は、基本的な仕様を上述した特許文献１に開示された本出願人により開発された卓上ガスコンロ装置と基本的な構成がほぼ同様に構成され、図１及び図２に示すように、熱伝導率に優れ軽量でかつ機械的強度を有するアルミニウムダイキャスト等により一体に形成されたシャーシ３を備える。卓上ガスコンロ装置１は、シャーシ３に対して、一方側面を開放した略コ字状の化粧枠部材４と、この化粧枠部材４に隣り合って前面部材５が組み合わされる。
【００１９】
卓上ガスコンロ装置１は、シャーシ３の一方領域を燃焼部６として構成するとともに、この燃焼部６に隣り合って前方に前面部材５が設けられた他方領域をガスボンベ装填部７として構成する。卓上ガスコンロ装置１は、ガスボンベ装填部７が、シャーシ３を底面部としかつ前面部材５を前面部として天井部と外側面部及び背面部を開放された前後方向に長い矩形の空間部位として構成される。
【００２０】
卓上ガスコンロ装置１は、シャーシ３に、ガスボンベ装填部７の開放部位を開閉自在とする詳細を後述する背面カバー部材９を一体化した可動カバー部材８が回動自在かつスライド自在に組み合わされ、全体が略箱形に構成される。卓上ガスコンロ装置１は、ガスボンベ装填部７に、可動カバー部材８に被覆されるとともにこの可動カバー部材８の支持部材としても機能する詳細を後述する固定カバー部材１０が組み合わされる。
【００２１】
卓上ガスコンロ装置１には、前面部材５に着火・消火操作機能とガス供給量調整機能とガスボンベ取外し機能を備えるダイヤルツマミ１１が設けられる。卓上ガスコンロ装置１は、このダイヤルツマミ１１を回動操作することにより、着火動作を行うとともに火量の調整を行う。卓上ガスコンロ装置１には、シャーシ４の底面部の四隅に位置して設置用の脚部１２が設けられており、テーブル等に安定した状態で載置されるようにする。
【００２２】
卓上ガスコンロ装置１には、燃焼部６に、詳細を省略するが中央部に位置してバーナ１３が配置されるとともにダイヤルツマミ１１の回動操作により火花を発生させる点火プラグを有する着火機構１４が設けられている。燃焼部６には、化粧枠部材４に略矩形の浅皿状の汁受けプレート１５が着脱自在に装着される。汁受けプレート１５は、中央部に形成した開口部からバーナ１３を外方に臨ませるとともに、四隅に位置して被加熱容器を載置する五徳１６が設けられる。
【００２３】
卓上ガスコンロ装置１は、後述するように可動カバー部材８を回動操作或いはスライド操作した後の回動操作を行ってガスボンベ装着部７を開放し、このガスボンベ装着部７内にガスボンベ２を装填する。卓上ガスコンロ装置１は、ガスボンベ装着部７が、燃焼部６からの放射熱伝導によりある程度温度が高められるようにして装填したガスボンベ２内において液化燃料ガスの気化が促進されて内部圧力が保持されるようにする。
【００２４】
ガスボンベ装着部７には、詳細を省略するが前方側に位置して装填されたガスボンベ２のステムが結合されるとともに、流入する燃料ガスをバーナ１３に対して供給量を調整して供給する等の機能を有する周知のガバナ１７が設けられている。ガスボンベ装着部７には、詳細を省略するが装填されたガスボンベ２のマウンテンカップを保持して前後方向に移動させることにより、ガバナ１７に着脱させるガスボンベチャッキング機構１８が設けられている。なお、ガスボンベチャッキング機構１８は、ダイヤルツマミ１１と連結されたレバーを有し、上述したようにこのダイヤルツマミ１１の回動操作によりガバナ１７に対するガスボンベ２のチャッキング操作が行われるようにする。
【００２５】
卓上ガスコンロ装置１には、ガスボンベ装着部７の外側縁部に沿って可動カバー部材８を回動自在かつスライド自在に支持する支軸１９が設けられている。卓上ガスコンロ装置１は、前面部材５にその背面側に開口して軸孔を形成するとともに、ガスボンベ装着部７の外側後端部に位置しかつ前面部材５の軸孔と同一軸を構成する軸孔を有する軸支部２０がシャーシ３に一体に立設される。卓上ガスコンロ装置１は、図２に鎖線及び図３に破線で示すように支軸１９が、一端部を前面部材５側の軸孔に嵌合されるとともに他端部を軸支部２０側の軸孔に嵌合されることにより、ガスボンベ装着部７の外側部に沿って前後方向に支架される。
【００２６】
可動カバー部材８は、例えばアルミ材を用いた引抜き加工により形成され、シャーシ３の奥行き寸法とほぼ等しい長さを有し、後述するようにガスボンベ装填部７の開放された天井部と外側面部とを全域に亘って被覆する。可動カバー部材８は、図４に示すようにガスボンベ２の外周部とほぼ等しい曲率を有する断面円弧状を呈して形成される。
【００２７】
可動カバー部材８には、図１及び図６に示すようにガスボンベ装着部７内の温度上昇を抑制するために多数の放熱スリット２１が形成されている。なお、可動カバー部材８は、例えばアルミ薄板等の金属薄板材を用いたプレス加工或いは合成樹脂材を用いた成形加工等により形成してもよく、またガスボンベ装填部７の開放された天井部と外側面部とを全域に亘って被覆する断面略Ｌ字状に形成してもよい。
【００２８】
可動カバー部材８には、図１及び図６に示すように外側下端縁部８Ａに沿った内面に、両端に貫通する軸孔２３を有する前後方向のヒンジ軸受け筒部２２が一体に形成されている。可動カバー部材８は、このヒンジ軸受け筒部２２の軸孔２３に上述した支軸１９が嵌挿されてシャーシ３に組み合わされることにより、支軸１９を支点としてシャーシ３に対して外側下端縁部８Ａ側を片持ちされて回動自在に支持される。可動カバー部材８は、図１及び図５に示すように回動操作されることにより、ガスボンベ装着部７の天井部を大きく開放する。
【００２９】
可動カバー部材８には、図１及び図２に示すように開放された後端部（背面側端部）及び背面側へとスライド操作された状態で開放される背面側の一方側面部とを被覆する背面カバー部材９が設けられている。背面カバー部材９は、例えば合成樹脂材により一体に形成され、図１及び図６に示すように、可動カバー部材８の背面部に直交して設けられてガスボンベ装填部７の開放された背面部を被覆する背面カバー部９Ａと、この背面カバー部９Ａに直交して形成された側面カバー部９Ｂとから構成される。
【００３０】
背面カバー部材９は、背面カバー部９Ａが可動カバー部材８が構成するガスボンベ装填部７の断面形状とほぼ等しい外形形状に形成され、図２に示すように可動カバー部材８がその前端縁部８Ｂを前面部材５の背面に突き当てた状態において、ガスボンベ装着部７の開放された背面部を被覆する。背面カバー部材９は、背面カバー部９Ａの外周部に凸部９Ｃが形成され、可動カバー部材８がスライド操作された状態でも背面側においてテーブル上に安定した状態で支持されるようにする。
【００３１】
背面カバー部材９は、側面カバー部９Ｂが、可動カバー部材８の外側下端縁部８Ａ、換言すれば後述する逃げ切欠き部２５と略対向する開放された側面部に延在するようにして背面カバー部８Ａから直交状態で一体に形成される。側面カバー部９Ｂは、後述するように可動カバー部材８がガスボンベ装着部７に標準汎用ガスボンベ２Ｂを装填するために背面側へとスライド操作された際に、化粧枠部材４から突出する開放された可動カバー部材８の側面部を被覆する。側面カバー部９Ｂは、小型ガスボンベ２Ａと標準汎用ガスボンベ２Ｂとの長さ寸法の差異よりもやや大きな長さを有して形成される。
【００３２】
背面カバー部材９は、上述したように回動操作される可動カバー部材８と一体に回動することにより、図１に示すようにガスボンベ装填部７の背面部を開放する。背面カバー部材９は、可動カバー部材８が背面側へとスライド操作されてガスボンベ装着部７を延長した状態で、背面カバー部９Ａと側面カバー部９Ｂが可動カバー部材８と共同してガスボンベ装填部７を被覆した状態を保持する。背面カバー部材９は、この状態で可動カバー部材８が回動操作されると、ガスボンベ装填部７の背面部と側面部を開放する。
【００３３】
背面カバー部材９には、その外周縁に、図２に示すように可動カバー部材８の天井部位から突出するつまみ部２４が一体に形成されている。つまみ部２４は、可動カバー部材８を回動操作する際の手掛けとして機能する。なお、背面カバー部材９は、可動カバー部材８がプレス部品や合成樹脂部品として形成される場合に、この可動カバー部材８と一体に形成されるようにしてもよい。
【００３４】
卓上ガスコンロ装置１には、図１及び図２に示すようにガスボンベ装填部７の前方部位に、ガバナ１７を覆うようにして固定カバー部材１０が設けられている。固定カバー部材１０は、例えば工場段階でガバナ１７のガス漏れ検査等の工程が行われた後にネジ止め等によりシャーシ３に固定される。固定カバー部材１０は、例えばアルミ材が用いられ、図４及び図５に示すようにガスボンベ２の外周部とほぼ等しい曲率を有しかつ可動カバー部材８の内径とほぼ等しい外径を有する断面円弧状を呈して形成される。固定カバー部材１０は、ガスボンベ装填部７にガバナ１７を覆って設けられることにより使用時に炎が直接当たることを防止するとともに、汁こぼれ等によるガバナ１７の汚損や詰まり等の発生を防止する。固定カバー部材１０は、ガバナ１７を覆ってシャーシ３に固定して設けられることにより、ガバナ１７がいたずらされてガス漏れ等が生じることを防止する。
【００３５】
固定カバー部材１０は、図４及び図５に示すように内側の側縁に沿った内側端部位が、全長に亘って可動カバー部材８の外側下端縁部８Ａと幅方向に対向する先端側縁部８Ｃが突き当たることにより受け部１０Ａを構成する。固定カバー部材１０は、受け部１０Ａ上に先端側縁部８Ｃを突き当てることにより、可動カバー部材８が倒れ込まないように支持してガスボンベ装填部７を被覆する状態に保持する。固定カバー部材１０は、受け部１０Ａが全長に亘って略クランク状に折曲されることにより、可動カバー部材８が回動操作される際にその先端側縁部８Ｃとの干渉が回避される構造となっている。
【００３６】
固定カバー部材１０は、汎用ガスボンベ２Ｂを用いるために可動カバー部材８を後方側へとスライド操作する際に、受け部１０Ａ上に先端側縁部８Ｃをスライドさせる。したがって、固定カバー部材１０は、外側下端縁部８Ａをヒンジ軸受け筒部２２Ａに嵌挿された支軸１９により支持された可動カバー部材８の相対する他端側、すなわち先端側縁部８Ｃを受け部１０Ａにより支持することで、可動カバー部材８が安定した状態でスライド動作されるようにする。また、固定カバー部材１０は、可動カバー部材８がガスボンベ装填部７内に汎用ガスボンベ２Ｂを装填することが可能な位置までスライド操作された際に、上述した受け部１０Ａによる先端側縁部８Ｃの支持状態が保持される長さを有している。
【００３７】
なお、固定カバー部材１０は、必須の構成ではないことから図示を省略するが、天井部にガバナ１７とガスボンベ２のステムの結合状態を確認するための確認孔を設けるようにしてもよい。また、固定カバー部材１０は、合成樹脂材により成形してもよいことは勿論であり、また透明若しくは半透明合成樹脂材により成形することでガバナ１７とガスボンベ２のステムの結合状態が直接見えるようにしてもよい。
【００３８】
ところで、卓上ガスコンロ装置１においては、可動カバー部材８が、上述したようにヒンジ軸受け筒部２２の軸孔２３に支軸１９を嵌挿して外側下端縁部８Ａ側を片持ちされてシャーシ３に組み合わされ、支軸１９を支点として回動操作されてガスボンベ装填部７の天井部を開放することによりガスボンベ２が装填されるようにする。卓上ガスコンロ装置１においては、可動カバー部材８が、汎用ガスボンベ２Ｂを使用する際にヒンジ軸受け筒部２２が支軸１７に沿ってスライドするとともに先端縁部８Ａが固定カバー部材１０の受け部１０Ａ上をスライドするスライド操作が行われる。可動カバー部材８は、図６に示すように上述したようにシャーシ３の奥行き寸法とほぼ等しい長さ、すなわちガスボンベ装填部７に装填されてステムをガバナ１７に結合された小型ガスボンベ２Ａの全体を覆う長さＬ１を有している。
【００３９】
可動カバー部材８は、上述したヒンジ軸受け筒部２２が、図６に示すように前端部から後端側に向かって所定の長さＬ２を有して外側下端縁部８Ａに沿った内面に一体に形成する。ヒンジ軸受け筒部２２は、固定カバー部材１０の長さよりも長軸とされ、可動カバー部材８がその前端縁部８Ｂを前面部材５に突き当てた状態において、後端部２２Ａと背面カバー部材９との間に長さＬ３（Ｌ３＝Ｌ１−Ｌ２）の間隙が構成されるようにする。ヒンジ軸受け筒部２２は、この間隙が具体的には汎用ガスボンベ２Ｂの長さ寸法と小型ガスボンベ２Ａの長さ寸法との差異とほぼ等しい長さ、すなわち約７０ｍｍに設定されて可動カバー部材８に形成される。
【００４０】
可動カバー部材８には、上述したヒンジ軸受け筒部２２の後端部２２Ａと背面カバー部材９との間の間隙に対応する部位に、図３及び図６に示すようにシャーシ３の軸支部２０よりも大きな高さを有する前後方向の逃げ切欠き部２５が形成される。したがって、可動カバー部材８は、逃げ切欠き部２５によりその背面側において約７０ｍｍの長さで軸支部２０との非干渉部位が構成され、この逃げ切欠き部２５の長さ範囲で後方側へとスライド操作することが可能とされる。
【００４１】
以上のように構成された卓上ガスコンロ装置１においては、ガスボンベ装填部７に、小型ガスボンベ２Ａと、この小型ガスボンベ２Ａよりも大型の汎用ガスボンベ２Ｂを装填して使用することが可能である。卓上ガスコンロ装置１においては、小型ガスボンベ２Ａを使用する場合に、可動カバー部材８がつまみ部２４を持ち上げて回動操作される。卓上ガスコンロ装置１においては、可動カバー部材８が、支軸１９を支点として先端側縁部８Ｃ側を引き上げられて回動操作されると、背面カバー部材９と一体となって回動して図１及び図５に示すようにガスボンベ装填部７の天井部と背面部とを開放する。
【００４２】
卓上ガスコンロ装置１においては、図５矢印で示すように開放された天井部からガスボンベ装填部７内に小型ガスボンベ２Ａが装填される。卓上ガスコンロ装置１においては、可動カバー部材８が復帰回動操作されてガスボンベ装填部７を閉じた状態で、ガスボンベチャッキング機構１８により小型ガスボンベ２Ａのステムをガバナ１７に結合させる。卓上ガスコンロ装置１は、小型ガスボンベ２Ａに合わせて小型に構成されており、テーブル等に載置して使用しても大きなスペースを占有することは無い。卓上ガスコンロ装置１は、ガスボンベ装填部７に装填された小型ガスボンベ２Ａが可動カバー部材８と背面カバー部材９により覆われる。
【００４３】
卓上ガスコンロ装置１においては、汎用ガスボンベ２Ｂを使用する場合に、可動カバー部材８がつまみ部２４を手掛けて後方側へとスライド操作される。卓上ガスコンロ装置１においては、可動カバー部材８が、外側下端縁部８Ａにおいてヒンジ軸受け筒部２２が支軸１７に沿ってスライドする。卓上ガスコンロ装置１においては、上述したように可動カバー部材８が、外側下端縁部８Ａと対向する先端側縁部８Ｃを固定カバー部材１０の受け部１０Ａ上をスライドすることにより、安定した姿勢でスムーズにスライドする。
【００４４】
卓上ガスコンロ装置１においては、可動カバー部材８が、逃げ切欠き部２５の長さＬ３をスライドするとヒンジ軸受け筒部２２の後端部２２Ａが軸支部２０に達してこれと衝合することによりガスボンベ装填部７の背面部を延長する。卓上ガスコンロ装置１においては、可動カバー部材８とともに背面カバー部材９も背面側へとスライド動作することで、背面カバー部９Ａによりガスボンベ装填部７の背面側の閉塞状態が保持される。また、卓上ガスコンロ装置１においては、スライド動作して化粧枠部材４の背面側へと突出した可動カバー部材８の開放された側面部に一体にスライド動作された背面カバー部材９の側面カバー部９Ｂを延在して形成したことにより、ガスボンベ装填部７の背面側の側面の閉塞状態が保持される。
【００４５】
卓上ガスコンロ装置１においては、この状態で可動カバー部材８がつまみ部２４を持ち上げて回動操作される。卓上ガスコンロ装置１においては、可動カバー部材８が支軸１９を支点として先端側縁部８Ｃ側を引き上げられて回動操作されることにより、図１鎖線で示すように後方部位をシャーシ３から突出させた状態でガスボンベ装填部７を開放する。  卓上ガスコンロ装置１においては、可動カバー部材８が、スライドされた位置においてもその前端縁部８Ｂを固定カバー部材１０の受け部１０Ａ上に支持されることにより、ガスボンベ装填部７の天井部を全域に亘って被覆する。卓上ガスコンロ装置１においては、可動カバー部材８が、前端縁部８Ｂを固定カバー部材１０の受け部１０Ａ上に支持されることにより、ガスボンベ装填部７内に倒れ込むことは無い。
【００４６】
卓上ガスコンロ装置１においては、開放された天井部からガスボンベ装填部７内に汎用ガスボンベ２Ｂが装填される。卓上ガスコンロ装置１においては、可動カバー部材８が復帰回動操作されてガスボンベ装填部７の天井部を閉じた状態で、ガスボンベチャッキング機構１８により汎用ガスボンベ２Ｂのステムをガバナ１７に結合させる。卓上ガスコンロ装置１においては、汎用ガスボンベ２Ｂが後方部位をシャーシ３の後方側に突出させてガスボンベ装填部７に装填されるが、可動カバー部材８と背面カバー部材９とにより覆われて外部に露出されないことから外観やテーブルの雰囲気を損なうことは無い。
【００４７】
卓上ガスコンロ装置１においては、上述したように可動カバー部材８が外側下端縁部８Ａ側をヒンジ軸受け筒部２２の軸孔２３に支軸１７を嵌挿させて回動自在かつスライド自在に支持して構成する。卓上ガスコンロ装置１においては、ガバナ１７を被覆する固定カバー部材１０と可動カバー部材８及び背面カバー部材９を組み合わせて構成することから、部品点数も少なく、低コスト化が図られる。卓上ガスコンロ装置１においては、可動カバー部材８が安定した状態でスライド操作されるとともに従来と同様に回動操作が行われてガスボンベ装填部７にガスボンベ２が着脱されることで使い勝手の向上が図られる。
【図面の簡単な説明】
【００４８】
【図１】本考案の実施の形態として示す卓上ガスコンロ装置の斜視図である。
【図２】小型燃料ボンベを装填した同卓上ガスコンロ装置の一部切欠き側面図である。
【図３】標準燃料ボンベを装填した同卓上ガスコンロ装置の側面図である。
【図４】同卓上ガスコンロ装置の一部切欠き要部正面図である。
【図５】同卓上ガスコンロ装置におけるガスボンベ装填操作を説明する一部切欠き要部正面図である。
【図６】可動カバー部材の一部切欠き側面図である。
【符号の説明】
【００４９】
１  卓上ガスコンロ装置、２  ガスボンベ、２Ａ  小型ガスボンベ、２Ｂ  汎用ガスボンベ、３  シャーシ、４  化粧枠部材、５  前面部材、６  燃焼部、７  ガスボンベ装填部、８  可動カバー部材、８Ａ  外側下端縁部、８Ｂ  前端縁部、８Ｃ  先端側縁部、９  背面カバー部材、９Ａ  背面カバー部、９Ｂ  側面カバー部、１０  固定カバー部材、１３  バーナ、１５  汁受けプレート、１７  ガバナ、１８  ガスボンベチャッキング機構、１９  支軸、２０  軸支部、２２  ヒンジ軸受け筒部、２２Ａ  後端部、２３  軸孔、２４  つまみ部、２５  逃げ切欠き部
【図１】
0003126328.tif 000003
【図２】
0003126328.tif 000004
【図３】
0003126328.tif 000005
【図４】
0003126328.tif 000006
【図５】
0003126328.tif 000007
【図６】
0003126328.tif 000008